(57)【要約】【課題】  缶の頂部に容易に取付けられると共に、取付け状態で不用意に外れることがない紙製収納箱の提供。【解決手段】  厚紙を折り曲げて平面方形の箱本体３を形成し、その平面に非円形の開口４を設け、開口４の第１縁部５の半径Ｒ１を、缶蓋２の立ち下げ縁2aの半径Ｒより小に形成し、第２縁部６の半径Ｒ２をその立ち下げ縁2aの半径Ｒより大に形成する。【選択図】        図１
0003137568.tif 000002
【実用新案登録請求の範囲】
【請求項１】
缶本体(1)の上端開口縁を閉塞する平面円形の缶蓋(2)が設けられて、その缶蓋(2)の外周縁が缶本体(1)の上端開口縁より外側に僅かに突出した立ち下げ縁(2a)を有し、その立ち上げ縁(2a)に、箱本体(3)の開口(4)が着脱自在に被嵌される収納箱において、
厚紙を折り曲げて平面方形の前記箱本体(3)が形成され、その箱本体(3)の平面に非円形の前記開口(4)が設けられ、その開口(4)の中心Ｏから各開口縁部に至る半径が互いに異なる、第１縁部(5)と第２縁部(6)とを有し、
その中心Ｏから前記第１縁部(5)までの半径Ｒ１は、缶蓋(2)の前記立ち下げ縁(2a)の半径Ｒよりより小に形成され、第２縁部(6)までの半径Ｒ２はその立ち下げ縁(2a)の半径Ｒより大に形成され、
箱本体(3)の前記開口(4)を缶蓋(2)に被嵌したとき、前記第１縁部(5)が前記立ち下げ縁(2a)の下端縁に係止されるように構成されたことを特徴とする缶頂部に取付ける収納箱。
【請求項２】
請求項１において、
前記開口(4)が正多角形に形成され、その各辺(4a)の中央部分が前記第１縁部(5)を構成し、隣接する各辺(4a)の接続部である各角部(4b)および各辺(4a)の両端部分が前記第２縁部(6)となることを特徴とする缶頂部に取付ける収納箱。
【請求項３】
請求項１または請求項２において、
前記箱本体(3)の一側に、開閉自在な蓋片(7)が箱本体(3)に一体に設けられたことを特徴とする缶頂部に取付ける収納箱。
【請求項４】
請求項２において、
箱本体(3)の平面が正方形に形成され、前記各辺(4a)のうち四つの辺が箱本体(3)の平面の四辺に近接して配置されたことを特徴とする缶頂部に取付ける収納箱。
【請求項５】
請求項１〜請求項３のいずれかにおいて、
箱本体(3)の平面の短辺(8)が長辺(9)の略二倍に形成され、その平面に二つの前記開口(4)が形成され、その二つの開口(4)の境で、箱本体(3)の内部を二分する仕切部(10)が配置されたことを特徴とする缶頂部に取付ける収納箱。
【考案の詳細な説明】
【技術分野】
【０００１】
本考案は、例えば偏平な箱の内部におつまみ等の収納物を収納し、それをビール缶や各種酒の缶の頂部に着脱自在に取付ける収納箱に関する。
【背景技術】
【０００２】
ビール等の飲料容器の缶は、缶本体の上端に缶蓋が被嵌され、その缶蓋の外周が缶本体の開口よりも僅かに外方に突出している。このような缶において、つまみや各種付録のサービス品を缶頂部に取付けることが行われていた。
そのような収納容器として、下端が缶蓋の外周より僅かに小に形成された円形の開口を有する軟質性プラスチック材を用い、内部に収納物を収納してそれを缶頂部に取付けることが行われていた。
さらには、缶頂部に輪ゴム等を嵌着し、それに適宜形状の収納箱を取付けることも考えられる。
【０００３】
【特許文献１】実用新案登録第３１０２５１８号公報
【特許文献２】実開昭６１−５６２４２号公報
【考案の開示】
【考案が解決しようとする課題】
【０００４】
従来の軟質プラスチック製収納箱は、それが不要となったとき、プラスチック材であるため廃棄処分が面倒であると共に、廃棄に当たり地球環境にとって好ましくない。
また、適宜な収納箱を缶の頂部に輪ゴム等を介して取り付ける場合、全体として嵩張り、占有スペースを多くとるため、搬送や陳列に不便である欠点があった。
それと共に、収納箱が不用意に缶本体から外れるおそれがある。
そこで本考案は、係る問題点を解決することを課題とする。
【課題を解決するための手段】
【０００５】
請求項１に記載の本考案は、缶本体(1)の上端開口縁を閉塞する平面円形の缶蓋(2)が設けられて、その缶蓋(2)の外周縁が缶本体(1)の上端開口縁より外側に僅かに突出した立ち下げ縁(2a)を有し、その立ち上げ縁(2a)に、箱本体(3)の開口(4)が着脱自在に被嵌される収納箱において、
厚紙を折り曲げて平面方形の前記箱本体(3)が形成され、その箱本体(3)の平面に非円形の前記開口(4)が設けられ、その開口(4)の中心Ｏから各開口縁部に至る半径が互いに異なる、第１縁部(5)と第２縁部(6)とを有し、
その中心Ｏから前記第１縁部(5)までの半径Ｒ１は、缶蓋(2)の前記立ち下げ縁(2a)の半径Ｒよりより小に形成され、第２縁部(6)までの半径Ｒ２はその立ち下げ縁(2a)の半径Ｒより大に形成され、
箱本体(3)の前記開口(4)を缶蓋(2)に被嵌したとき、前記第１縁部(5)が前記立ち下げ縁(2a)の下端縁に係止されるように構成されたことを特徴とする缶頂部に取付ける収納箱である。
【０００６】
請求項２に記載の本考案は、請求項１において、
前記開口(4)が正多角形に形成され、その各辺(4a)の中央部分が前記第１縁部(5)を構成し、隣接する各辺(4a)の接続部である各角部(4b)および各辺(4a)の両端部分が前記第２縁部(6)となることを特徴とする缶頂部に取付ける収納箱である。
請求項３に記載の本考案は、請求項１または請求項２において、
前記箱本体(3)の一側に、開閉自在な蓋片(7)が箱本体(3)に一体に設けられたことを特徴とする缶頂部に取付ける収納箱である。
【０００７】
請求項４に記載の本考案は、請求項２において、
箱本体(3)の平面が正方形に形成され、前記開口(4)の各辺(4a)のうち四つの辺が箱本体(3)の平面の四辺に近接して配置されたことを特徴とする缶頂部に取付ける収納箱である。
請求項５に記載の本考案は、請求項１または請求項２において、
箱本体(3)の平面の短辺(8)が長辺(9)の略整数倍に形成され、その平面に複数の前記開口(4)が形成され、その各開口(4)の境で、箱本体(3)の内部を分割する仕切部(10)が配置されたことを特徴とする缶頂部に取付ける収納箱である。
【考案の効果】
【０００８】
本考案の缶頂部に取付ける収納箱は、その箱本体３が厚紙を折り曲げたものからなり、その平面に非円形の開口４が設けられ、開口４の中心Ｏから第１縁部５までの半径Ｒ１は、缶蓋２の立ち下げ縁2aの半径よりも小に形成され、第２縁部６までの半径Ｒ２は、その立ち下げ縁2aの半径Ｒより大に形成されたものであるから、箱本体３の開口４を缶蓋２に容易に被嵌して、第１縁部５を立ち下げ縁2aの下端縁に係止させることができる。
これは第２縁部６の半径Ｒ２が半径Ｒより大であるため、箱本体３の取付け時に、第１縁部５が容易に弾性変形して、それを立ち下げ縁2aに係止することができる。それによって、箱本体３の取付け時に開口４が破損することを防止すると共に、箱本体３の取付け状態で不用意にそれが缶頂部から脱落することを防止できる。また、箱本体３が厚紙を折り曲げたものからなり、それが不要となったとき、廃棄処分が容易であると共に、地球環境に優しい。
【０００９】
上記構成において、開口４を正多角形に形成し、その各辺4aの中央部で第１縁部５を構成し、隣接する辺4aの接続部である各角部4bおよび各辺4aの両端部を第２縁部６とすることができる。この場合には、缶頂部に収納箱を取付ける際のバランスが良く、取付けが容易であると共に、取付け後それが不用意に脱落することを確実に防止し得る。
上記構成において、箱本体３の一側に開閉自在な蓋片７を一体に設けることができる。この場合には、蓋片７を開いて箱本体３の内部に適宜な収納体11を容易に収納することができる。
【００１０】
上記構成において、箱本体３の平面を正方形に形成し、その開口４の各辺4aのうち四つの辺を箱本体３の四辺に近接して配置することができる。この場合には、箱本体３の四周に設けられた側面と開口４の辺4aとが近接し、その側面が各辺4aの変形を抑制するため、各辺４ａが必要以上に変形することを防止し、箱本体３を缶１に被嵌する際、容易にそれを行うことができる。
上記いずれかの構成において、箱本体３の平面の短辺８を長辺９の略整数倍に形成し、その平面に複数の開口４を形成し、その各開口４の境で、箱本体３の内部を分割する仕切部10を配置することができる。この場合には、複数の缶１を一つの箱本体３で同時に被嵌することができる。その際、仕切部10の存在により各開口４の境界部分の変形を抑制し、箱本体３を各缶１に容易に被嵌することが可能となる。
【考案を実施するための最良の形態】
【００１１】
次に、図面に基づいて本考案の実施の形態につき説明する。
図１は本考案の収納箱14の斜視略図であり、図２はその取付け状態を示す斜視図、図３は図２のIII−III矢視断面略図である。また、図４は箱本体３の開口４を缶１の缶蓋２に嵌着したとき、缶蓋２の立ち下げ縁2aの外周と、箱本体３の開口４との関係とを示す説明図である。
この収納箱14は、図１に示す如く、箱本体３が厚紙を折り曲げて平面方形に形成され、その箱本体３の平面に正八角形の開口４が形成されている。そして開口４の対向する辺4a間の距離２Ｒ１の半分である中心Ｏからの半径Ｒ１は、図３及び図４に示す如く、立ち下げ縁2aの半径Ｒよりも小に形成されている。
【００１２】
また、開口４の隣接する各辺4aの接続部である角部4bと中心Ｏとの距離Ｒ２は、立ち下げ縁2aの半径Ｒよりも大に形成されている。そしてこの例では、辺4aの中間部が本考案の第１縁部５を構成し、角部4bおよび各辺4aの両端部が第２縁部６を構成する。
なお、角部4bはこの例では僅かにＲに形成し、体裁の良いものとしている。
この箱本体３の両側には、一対の蓋片７が箱本体３と一体に形成され、その両側に設けられている側部開口12を開閉自在にしている。そしてこの蓋片７を開放した状態で、箱本体３内に収納体11（図３参照）を挿脱できるようにしている。
なお、補助片13は蓋片７を閉塞したときその状態を維持するためのものである。
【００１３】
このようにしてなる収納箱14は、その開口４が缶１の頂部に嵌着される。その嵌着状態を図３で示す。嵌着時において、その開口４の各辺4aの中心部分が弾性変形し、立ち下げ縁2aを通り抜けることにより、その端縁が立ち下げ縁2aに係止される。このとき角部4b部分および各辺4aの両端部は、立ち下げ縁2aの半径よりも大であるため変形しない。このような角部4b部分等が辺4aの両側に位置するため、辺4aの中心部は容易に変形して箱本体３が缶１の頂部に嵌着される。
また、立ち下げ縁2aの半径よりも小となる部分は開口４の一部として分散しているため、その点からも嵌着が容易である。
【００１４】
なお、図１において正八角形の各辺のうち四つの辺4aは、箱本体３の四周の各辺に近接して、箱の側面に支持されているため、その各辺4aは缶１の頂部に嵌着の際、比較的剛性が高く不必要に変形することが抑制され、缶への嵌着を円滑に行うことができる。
逆に、正八角形の開口４の角部4bを箱本体３の側面の中心に位置させると、開口４自体の剛性が弱くなり、箱本体３を缶１の頂部に嵌着時に開口４が異常に変形し、元に戻らない場合がある。
【００１５】
また、この例では図２の嵌着状態で、箱本体３は缶１の中心周りに相対回転することが可能である。そのため、特に自動販売機において多数の缶１を傾斜面に載置して整列させたとき、そのガイドに合わせて缶１が流下すると、缶１と箱本体３との間に相対回転が起こり、結果として各箱本体３の外周の各辺が接して同一方向に向きを整列することが判った。
従って、本実施例における箱本体３は自動販売機における缶にも適用可能である。
【００１６】
次に、図５は図１における開口４の形状が正四角形のものであり、その他は図１のそれと同一である。
この例の各開口４の辺4aの中央と中心Ｏとの距離Ｒ１が、缶蓋２の半径Ｒよりも小で、隣り合う辺4aの接続部である角部4b（Ｒ状に形成）の半径Ｒ２は、缶蓋２の半径Ｒよりも大である。そして辺4aの中央部分が本考案の第１縁部５を形成し、その両端部および角部4b部分が第２縁部６を構成する。
【００１７】
次に、図６は本考案の第３の実施の形態を示し、箱本体３が矩形に形成されその短辺が長辺の略２倍に形成されている。そして箱本体３の一方の平面には一対の開口４が設けられ、それらの境で箱本体３内の仕切部10が設けられている。この仕切部10は、箱本体３の側面と同じ高さである。
【００１８】
また、箱本体３の長辺の両側に蓋片７が設けられ、箱本体３の側面の開口を開閉自在に閉塞する。そしてこの蓋片７を開放状態で、一例としてつまみ等の収納体11を挿脱自在に挿入するものである。
この例の箱本体３は、二つの缶に同時に嵌着されるものである。このとき仕切部10は、一対の開口４の境界部が異常に変形することを防止し、確実な嵌着を確保するものである。なお、箱本体３の長辺を短辺の３倍以上の整数倍とし、その平面にその整数個分の開口を形成することもできる。その場合には、各開口の境ごとに仕切部10を設けるものとする。
【図面の簡単な説明】
【００１９】
【図１】本考案の収納箱の第１の実施の形態を示す斜視略図。
【図２】同収納箱14を缶１の頂部に嵌着した状態を示す斜視図。
【図３】図２のIII−III矢視断面略図。
【００２０】
【図４】同収納箱14の開口４と缶１の立ち下げ縁2aとの寸法関係を示す説明図。
【図５】本考案の収納箱の第２の実施の形態を示し、その開口４と立ち下げ縁2aとの関係を示す説明図。
【図６】本考案の収納箱の第３の実施の形態を示す箱本体３の平面図。
【符号の説明】
【００２１】
１  缶
２  缶蓋
2a  立ち下げ縁
３  箱本体
４  開口
4a  辺
4b  角部
５  第１縁部
６  第２縁部
【００２２】
７  蓋片
８  短辺
９  長辺
10  仕切部
11  収納体
12  側部開口
13  補助片
14  収納箱
【図１】
0003137568.tif 000003
【図２】
0003137568.tif 000004
【図３】
0003137568.tif 000005
【図４】
0003137568.tif 000006
【図５】
0003137568.tif 000007
【図６】
0003137568.tif 000008